(57)【特許請求の範囲】
【請求項１】
パチンコ機の前面に取着される球受皿本体と、前記球受皿本体に前後方向に移動自在に収容されパチンコ球を貯留する球皿部とを備え、前記球皿部は上面と後面が開放されると共に底壁部の上面が後側に向かって下傾するように形成され、前記球皿部が前側に移動することによりその後側に落し口が該球皿部の横幅いっぱいに開成され、前記落し口から前記球皿部のパチンコ球を抜き取るようにしたことを特徴とするパチンコ遊技機用球受皿。
【発明の詳細な説明】
【０００１】
【発明の属する技術分野】
本発明は、球受皿と球皿部とを別体に形成すると共に該球皿部を自在に移動しかつその下方が横幅いっぱいに開放されるように設け、開成される落し口からパチンコ球を抜き取るようにしたパチンコ機用球受皿に関するものである。
【０００２】
【従来の技術】
従来のパチンコ機用球受皿は、一般にパチンコ球を貯留する球皿部の底壁部の一部に円形の球抜口が設けられており、球受皿の下方に球箱を置いた状態で、球抜口を開放して球皿部のパチンコ球を抜き取るようにしている。
【０００３】
【発明が解決しようとする課題】
しかしながら、前記球抜口は比較的口径が小さくしかも一側に扁らせて設けられているので、球抜きする場合、球皿部のパチンコ球を速やかに球抜きすることが難しく、勢い手でパチンコ球を球抜口へ寄せ集めるなど余分な手間が掛かっており、また、球皿部に沢山のパチンコ球が貯留されていると球抜口の付近で球がみ現象が起り手でパチンコ球を崩さないと球抜きできないといった課題が有った。更に、近時一度に多量のパチンコ球を景品球として払い出すパチンコ機が出現しているが、この種パチンコ機にあっては大量のパチンコ球を球抜きするに時間が掛かり面倒であった。更にまた、パチンコ機の前面と前記球抜口とは接近していることから、抜き取られて球箱内に落下したパチンコ球は球箱内のパチンコ機側に偏った位置でピラミッド状に盛り上がり、忽ち球箱から零れ出て近辺に散乱するといった事態が起きていた。このため、このような事態が起らないように盛り上ったパチンコ球は手でしばしば均してやらねばならず、余分な手間を必要としていた。
そこで、本発明は上記課題を解決すべくなされたもので、速やかかつ短時間でしかも一箇所に偏ることなく球抜きすることができるパチンコ機用球受皿を提供することを目的とするものである。
【０００４】
【課題を解決するための手段】
かかる目的を達成するため、本発明のパチンコ機用球受皿は、パチンコ機の前面に取着される球受皿本体と、該球受皿本体に前後方向に移動自在に収容されパチンコ球を貯留する球皿部とを備え、該球皿部は上面と後面が開放されると共に底壁部の上面が後側に向かって下傾するように形成され、該球皿部が前側に移動することによりその後側に落し口が該球皿部の横幅いっぱいに開成され、該落し口から球皿部のパチンコ球を抜き取るようにした。このように、球皿部の横幅いっぱいに落し口が開成されるので、大量のパチンコ球も一度に短い時間で抜き取ることができ、しかもパチンコ球が横幅に沿って一様に落下するので、球箱内では一箇所に集中して山積みになることもない。
【０００５】
また、球皿部とその底壁部とを別体に形成すると共に該底壁部を自在に移動しかつ球皿部の下方がその横幅いっぱいに開放されるように設けても良い。これにより、構成が簡単となる。
【０００６】
【発明の実施の形態】
以下、本発明に係るパチンコ機用球受皿の実施の形態を図面と共に説明する。図１はパチンコ機用球受皿の斜視図、図２は同分解斜視図をそれぞれ示す。図において、１は球受皿本体であり、ほぼ中央に景品球としてのパチンコ球を貯留する球皿部２が設けられている。また、その一側に打球発射部（図示せず。）に供給されるパチンコ球の弾発力を調接する操作ハンドル３が装着され、他側にタバコの吸い殻を留める灰皿４が装着される。５は球受皿本体１の後端面に固着され、球受皿をパチンコ機（図示せず。）の前面に取着するための取付基板である。
【０００７】
６は球皿部２を囲う外枠部材であり、両側に支持枠部７，７が配置され、両支持枠部７，７の前側下端部間に受板８が一体に設けられる。そして、取付基板５前面の景品球排出口９を囲う凹窪部１０に外枠部材６を嵌入し、後端の各螺子孔１１に取付基板５の裏側から各通孔１２を介してビス１３を螺締することにより外枠部材６が固着される。前記各支持枠部７，７は後端面と内側面が開口した空胴状に形成され、その内部にガイドバー１４が配置される。両支持枠部７，７に、その後端面開口と内側面開口とを覆う支持板１５，１５がビス１６止めされ、各支持板１５，１５の内側面に前記ガイドバー１４の一端が嵌入して支持される保持筒１７が設けられる。一方、図３に示されるようにこれと対向する両支持枠部７，７の前壁内側面にガイドバー１４の他端が嵌入して支持される保持筒１７が設けられる。
【０００８】
球皿部２は両支持枠部７，７間に収容される横幅を有すると共に上面と後面が開放している。両側壁部２ａ，２ａの外面に前記両ガイドバー１４に乗る一対のコロ１８，１８が軸着され、図４に示されるように球皿部２が両ガイドバー１４，１４に沿って前後方向に自在に移動し得るようになっている。前記凹窪部１０の前面に景品球排出口９の下側に位置して棚板部１９が設けられる。そして、球皿部２が外枠部材６内に収容されたとき、その底壁部２ｂと棚板部１９とが連続して底面が形成されパチンコ球が貯留される。また、球皿部２が前側に移動したとき、図５に示されるように棚板部１９の前端縁と底壁部２ｂの後端縁との間が球皿部２の横幅いっぱいに開放されて落し口２０が開成され、球皿部２内のパチンコ球が落し口２０から下方へ落下するようになっている。また、これらパチンコ球が速やかに落し口２０へ向うように前記棚板部１９と底壁部２ｂの上面はそれぞれ落し口２０に向って下傾するように形成される。
【０００９】
両支持枠部７，７の前壁内側面に突設された突起２１，２１と球皿部２の両側壁部２ａ，２ａの外側面に突設された係合片２２，２２との間にそれぞれ図４に示されるように圧縮スプリング２３，２３が介装され、球皿部２が外枠部材６内に常に収容されるように付勢されている。また、球皿部２の底壁部２ｂ後端縁には下方へ折曲される止板２４が設けられ、該止板２４が前記受板８に当接して球皿部２が前側への移動を停止されるようになっている。
【００１０】
本発明に係るパチンコ機用球受皿は上記構成よりなり、常態では図３乃至５実線のように圧縮スプリング２３，２３の弾発力により球皿部２が外枠部材６内に収容され、景品球排出口９から排出されるパチンコ球は球皿部２に貯留される。そこで、該球皿部２に貯留されたパチンコ球を抜き取る場合、球受皿の下方に球箱（図示せず。）を配置し、球皿部２を圧縮スプリング２３，２３の弾発力に抗して前側へ移動させる。これにより図３乃至５鎖線のように棚板部１９と底壁部２ｂとの間が球皿部２の横幅いっぱいに開放され、その落し口２０からパチンコ球が抜き取られる。このように落し口２０が球皿部２の横幅いっぱいに開かれるので、多量のパチンコ球が払い出されても一度に短い時間で抜き取ることができ、しかも球皿部２の横幅に沿って一様に落下するので球箱内ではパチンコ球が高く積み上るようなことがない。
【００１１】
図６，図７は他の実施の形態に係るもので、前者は球皿部２Ａの前端の一側が一方の支持枠部７Ａに挿通される縦軸２５によって軸支され、該縦軸２５を中心として球皿部２Ａが矢視方向のように水平面内で一方向へ回動し得るように構成したものである。また、他方の支持枠部７Ａの内側には閉じた状態の球皿部２Ａの下縁を支持する段部２６が形成され、球皿部２Ａに留った多量のパチンコ球の球重量に充分耐え得るようにしてある。
【００１２】
また、後者は球皿部２Ｂの両側を両支持枠部７Ｂ，７Ｂから共に内側へ突出する横軸２７，２７によって軸支され、該横軸２７，２７を中心として垂直面内で矢視方向のように底壁部２ｂＢが下がる方向に回動するように構成したものである。これらいずれの場合も球皿部２Ａ，２Ｂの下方を横幅いっぱいに開放させることができる。しかも、共に構成が全体的に簡素化され、組立が容易になるばかりかコスト的にも安価に提供できるという効果が有る。
【００１３】
図８も他の実施の形態に係るもので、球皿部２Ｃは球受皿本体１と一体に形成され、球皿部２Ｃと底壁部２ｂＣとを別体に形成すると共に該底壁部２ｂＣを球皿部２Ｃの下方がその横幅いっぱいに開放されるように移動自在に設けた構成よりなる。すなわち、球皿部２Ｃの下部に前端が開放させるレール溝２８が設けられ、該レール溝２８に底壁部２ｂＣが前後方向へ自在に摺動するようになっている。また、底壁部２ｂＣの下側には底壁部２ｂＣの後端縁と球皿部２Ｃの前壁内側面との間に圧縮スプリング２３Ｃ，２３Ｃが介装される。２９は底壁部２ｂＣの前端に設けられる摘み部である。
【００１４】
この場合も、図８鎖線のように摘み部２９に指を掛け手前に引くことで、球皿部２ｂＣの下方がその横幅いっぱいに開放されて球抜きすることができ、摘み部２９から指を離すことにより前記圧縮スプリング２３Ｃ，２３Ｃが作用して底壁部２ｂＣが自動的に後退する。この構成によっても全体的に簡素化が図られ、組立が容易になるばかりかコスト的にも安価に提供できるという効果が有る。
なお、前記他の実施の形態にあっては本実施の形態と同一部位は同一符号を用いて説明は省略した。また、球皿部を移動させる手段は前記各実施の形態に限られるものではなく、他の手段であっても良いこと勿論である。
【００１５】
【発明の効果】
以上説明したように本発明に係るパチンコ機用球受皿は、パチンコ機の前面に取着される球受皿本体と、該球受皿本体に前後方向に移動自在に収容されパチンコ球を貯留する球皿部とを備え、該球皿部は上面と後面が開放されると共に底壁部の上面が後側に向かって下傾するように形成され、該球皿部が前側に移動することによりその後側に落し口が該球皿部の横幅いっぱいに開成され、該落し口から球皿部のパチンコ球を抜き取るようにしたので、球皿部を移動したときの落し口が横方向に広くとれ、速やかに球抜きでき余分な手間が掛からず、しかも多量のパチンコ球も短時間で球抜きできる。更に、球箱に貯留されるパチンコ球も一箇所に集中して山積みされることがなく、これにより球箱からの球こぼれを防ぐこともできる。
【００１６】
球皿部とその底壁部とを別体に形成すると共に該底壁部を自在に移動しかつその下が球皿部の横幅いっぱいに開放されるように設けたパチンコ機用球受皿にあっては、前記効果の他に、その構成が簡素化され、製作が容易となるばかりかコストを安価にできるという効果を有する。
【図面の簡単な説明】
【図１】  本発明に係るパチンコ機用球受皿の斜視図。
【図２】  同分解斜視図。
【図３】  同平面断面図。
【図４】  図３におけるＸ−Ｘ線断面図。
【図５】  図３におけるＹ−Ｙ線断面図。
【図６】  他の実施の形態に係るパチンコ機用球受皿の斜視図。
【図７】  他の実施の形態に係るパチンコ機用球受皿の斜視図。
【図８】  他の実施の形態に係るパチンコ機用球受皿の要部の側面断面図。
【符号の説明】
１                      球受皿本体
２，２Ａ，２Ｂ，２Ｃ    球皿部
２ｂ，２ｂＣ            底壁部
２０                    落し口
【図１】
0004102456.tif 000002
【図２】
0004102456.tif 000003
【図３】
0004102456.tif 000004
【図４】
0004102456.tif 000005
【図５】
0004102456.tif 000006
【図６】
0004102456.tif 000007
【図７】
0004102456.tif 000008
【図８】
0004102456.tif 000009